(57)【特許請求の範囲】
【請求項１】
光コネクタアダプタに嵌合されるプラグであって、嵌合時に前記光コネクタアダプタの開口部の縁部に突起部が当接することで該突起部を外周部に一体に形成しているフロントハウジングが後方移動せしめられ、それにより前記フロントハウジングを移動自在に内側で支持する筒状のプラグフレームが相対的に前進し、該プラグフレームの前方にある開口部の縁部が、前記フロントハウジングの開口部側に設けられ光軸上に湾曲して遮光しているシャッターを直線状に展開させ、前記プラグフレームに内包されたフェルールの先端部が、前記フロントハウジングの開口部から外部に突出することで前記光コネクタアダプタと光接続がなされる光コネクタプラグにおいて、
前記シャッターの遮光時の状態における平坦部と湾曲部との境部に、嵌合時のシャッター展開状態における中央部の変形による膨らみを解消するための、前後方向に沿って前記境部の左右方向の略中央の位置で全体形状が細長いスリットを、当該境部に跨がって設けたこと、
を特徴とするシャッター付き光コネクタプラグ。
【請求項２】
シャッターの平坦部における抜止め機構は、当該平坦部の中央に設けた抜止め孔と、前記平坦部の後方端部の左右両端部に設けられて、フロントハウジングの係止部に係止される係止突起部とでなること、
を特徴とする請求項１に記載のシャッター付き光コネクタプラグ。
【発明の詳細な説明】
【技術分野】
【０００１】
本発明は、光ファイバケーブルの接続用端部に使用される、ＬＣ形プラグ等を始めとするシャッター付き光コネクタプラグに関するものである。
【背景技術】
【０００２】
従来、図５乃至図７に示すシャッター付き光コネクタプラグ、例えば、代表させて説明するシャッター付きＬＣ形プラグ１５は、特許文献１に記載されている様に、フェルール１６と該フェルール１６を前方に付勢する弾性部材１７を内包する筒状のプラグフレーム１８と、当該プラグフレーム１８の外側に摺接自在に囲繞される筒状のフロントハウジング１９と、該フロントハウジング１９の内壁に一端部が固定され前記フェルール１６の前位置で遮光する湾曲した１枚の遮光プレート（シャッター）２２と、前記プラグフレーム１８の後方から嵌合される係止用ハウジング２０とからなる。
【０００３】
前記シャッター付きＬＣ形プラグ１５により、未接続時には前記遮光プレート２２がフェルール１６からのレーザーを遮断して目等を保護し、接続時には前記フロントハウジング１９の後退移動によって、前記遮光プレート２２が前記プラグフレーム１８の開口縁部に当接して湾曲状態から直線状態に延ばされて、フェルール１６が後方に移動されたフロントハウジング１９の開口端部から突出する。それにより、当該シャッター付きＬＣ形プラグ１５側のフェルール１６と、接続相方のＬＣ形アダプタ２４（図４参照）側におけるフェルールとが接続される。
【先行技術文献】
【特許文献】
【０００４】
【特許文献１】特開２０１１−１３６０６号公報
【発明の概要】
【発明が解決しようとする課題】
【０００５】
しかし、従来のシャッター付き光コネクタプラグである、一例としてのＬＣ形プラグ１５における遮光プレート２２が、ＬＣ形アダプタ２４との嵌合時において、プラグフレーム１８とフロントハウジング１９との間において挟まれた状態となり、荷重が掛かった状態で格納されているので、当該遮光プレート２２の中央部が変形して膨らんだ状態となっている。
【０００６】
それにより、フロントハウジング１９による開閉動作時に、図６に示す前記遮光プレート２２に設けた抜止めの角穴２２ｃが、図７（Ｂ），（Ｃ）に示す前記フロントハウジング１９における底部の遮光プレート係止用の中央突起部１９ｃを乗り越えてしまい、前記遮光プレート２２がフロントハウジング１９から外れてしまうおそれがある。本発明に係るシャッター付き光コネクタプラグは、このような課題を解決するために提案されたものである。
【課題を解決するための手段】
【０００７】
本発明に係るシャッター付き光コネクタプラグの上記課題を解決して目的を達成するための要旨は、 光コネクタアダプタに嵌合されるプラグであって、嵌合時に前記光コネクタアダプタの開口部の縁部に突起部が当接することで該突起部を外周部に一体に形成しているフロントハウジングが後方移動せしめられ、それにより前記フロントハウジングを移動自在に内側で支持する筒状のプラグフレームが相対的に前進し、該プラグフレームの前方にある開口部の縁部が、前記フロントハウジングの開口部側に設けられ光軸上に湾曲して遮光しているシャッターを直線状に展開させ、前記プラグフレームに内包されたフェルールの先端部が、前記フロントハウジングの開口部から外部に突出することで前記光コネクタアダプタと光接続がなされる光コネクタプラグにおいて、前記シャッターの遮光時の状態における平坦部と湾曲部との境部に、嵌合時のシャッター展開状態における中央部の変形による膨らみを解消するための、前後方向に沿って前記境部の左右方向の略中央の位置で全体形状が細長いスリットを、当該境部に跨がって設けたことである。
【０００８】
前記シャッターの平坦部における抜止め機構は、当該平坦部の中央に設けた抜止め孔と、前記平坦部の後方端部の左右両端部に設けられて、フロントハウジングの係止部に係止される係止突起部とでなることを含むものである。
【発明の効果】
【０００９】
本発明のシャッター付き光コネクタプラグによれば、アダプタ接続時においてシャッターが展開状態で、前記スリットがあることで、フロントハウジングとプラグフレームとの間に挟まれても、中央部が変形すること無く、膨らむようなことが無い。これにより、シャッターの抜け止め用の角穴が、フロントハウジングの抜け止め突起部から乗り越えて、シャッターが外れるというおそれが無くなる。
【００１０】
更に、抜止め機構における係止部を、従来の１箇所から３箇所に増やしたので、シャッターがフロントハウジングに確実に固定される様になり、抜け防止機能が向上すると言う優れた効果を奏するものである。
【図面の簡単な説明】
【００１１】
【図１】本発明に係るシャッター付き光コネクタプラグ１を、光コネクタアダプタであるＬＣ形アダプタ２４に接続させる途中の状態の一部縦断面図（Ａ）、接続完了した状態の一部とその一部分を拡大して示す縦断面図（Ｂ）である。
【図２】同本発明のシャッター付き光コネクタプラグ１の未接続状態の半断面図（Ａ）、接続状態の半断面図（Ｂ）である。
【図３−Ａ】従来のシャッター２２と本発明に係るシャッター５の形状とを比較した斜視図（Ａ），（Ｂ）、同従来のフロントハウジング１９と本発明に係るフロントハウジング２との形状を比較した斜視図（Ｃ），（Ｄ）である。
【図３−Ｂ】フロントハウジング２の裏面側から見た斜視図（Ａ）と底面図（Ｂ）とである。
【図３−Ｃ】シャッター５の他の実施例を示す斜視図である。
【図４】ＬＣ形アダプタ２４に本発明に係る光コネクタプラグ１を接続させる様子を示す説明図（Ａ），（Ｂ）である。
【図５】従来例に係るシャッター付き光コネクタアダプタであるシャッター付きＬＣ形プラグ１５の斜視図（Ａ）、フロントハウジング１９を除いた状態のシャッター付きＬＣ形プラグ１５の斜視図（Ｂ）である。
【図６−Ａ】同従来例に係るシャッター付きＬＣ形プラグ１５におけるプラグフレーム１８の斜視図（Ａ）、平面視の断面図（Ｂ）、側面図（Ｃ）、正面図（Ｄ）、背面図（Ｅ）である。
【図６−Ｂ】同従来例に係るシャッター付きＬＣ形プラグ１５におけるシャッター２２の斜視図（Ａ）、（Ｂ）、平面図（Ｃ）である。
【図７】同従来例に係るシャッター付きＬＣ形プラグ１５におけるフロントハウジング１９の斜視図（Ａ）、平面視した断面図（Ｂ）、半断面図（Ｃ）である。
【発明を実施するための形態】
【００１２】
本発明に係るシャッター付き光コネクタプラグ１は、図１乃至図３−Ａに示すように、遮光プレートであるシャッター５において、嵌合・接続時に直線状に展開される際、シャッター中央部が変形しないように、平坦部５ａと湾曲部５ｂとに跨がってスリット５ｃを追加することである。
【実施例１】
【００１３】
本発明に係るシャッター付き光コネクタプラグ１は、図４に示すように、光コネクタアダプタであるＬＣ形アダプタ２４に嵌合されるものである。この光コネクタプラグ１は、図１乃至図２に示すように、四角形状の筒体で前方開口部にシャッター５を具備してスプリング６で常に前方に付勢される摺動自在なフロントハウジング２と、該フロントハウジング２の後退した際にその後部を収納するとともに接続相手の前記ＬＣ形アダプタ２４に係合する筒状の係止用ハウジング３と、該係止用ハウジング３に後部が接続固定され前記フロントハウジング２を摺動自在に支持する筒状のプラグフレーム４と、該プラグフレーム４の内部に保持され前記係止用ハウジング３に反力をとるスプリング１７で前方に付勢されるフェルール１６と、前記係止用ハウジング３の後部に装着されるブーツ２３、カシメリング２３ａとから概略構成されている。
【００１４】
前記シャッター付き光コネクタプラグ１においては、図１（Ａ）、図２（Ａ）に示すように、前記ＬＣ形アダプタ２４に対する嵌合時において、前記ＬＣ形アダプタ２４の開口部の縁部に、フロントハウジング２の上部側壁にある突起部２ｂが当接することで、該突起部２ｂを外周部に一体に形成しているフロントハウジング２が後方移動せしめられる。
【００１５】
それにより、図１（Ｂ）、図２（Ｂ）に示すように、前記フロントハウジング２を摺動自在に支持するプラグフレーム４が相対的に前進する。そして、該プラグフレーム４の前方にある開口部の縁部が、前記フロントハウジング２の開口部側に設けられ光軸上に湾曲して遮光しているシャッター５を直線状に展開させる。こうして、前記プラグフレーム４に内包されたフェルール１６の先端部が、前記フロントハウジング２の開口部から外部に突出するものである。
【００１６】
前記シャッター５は、図１（Ａ），（Ｂ）、図４に示すように、ＬＣ形アダプタ２４に嵌合される際に、図２（Ａ），（Ｂ）に示すように、フロントハウジング２が後退することで、相対的にプラグフレーム４が前進し、当該プラグフレーム４の開口部の縁部が当接して押し込むことで、シャッター５が湾曲状態から、直線状態に展開される。
【００１７】
このとき、前記シャッター５の湾曲部５ｂが変形しないようにするため、図３−Ａ（Ａ）に示すように、前記シャッター５の遮光時の状態における平坦部と湾曲部５ｂとの境部に、嵌合時のシャッター展開状態における中央部の変形による膨らみを解消する、前後方向に沿って前記境部の左右方向の略中央の位置で全体形状が細長いスリット５ｃを当該境部に跨がって設けている。
【００１８】
更に、前記シャッター５の抜け止め対策として、図３−Ａ（Ａ），（Ｃ）、図３−Ｂ（Ａ），（Ｂ）に示すように、シャッター５の平坦部５ａにおける抜止め機構は、当該平坦部５ａの中央に設けてフロントハウジング２の係止突起部２ｄに係合される抜止め孔５ｄと、前記平坦部５ａの後方端部の左右両端部に設けられて、フロントハウジング２の係止部２ｅに係止される係止突起部５ｅ，５ｅとでなる。
【００１９】
前記シャッター５は、図３−Ａ（Ａ），（Ｂ）、図３−Ｂ（Ａ），（Ｂ）に示すように、従来例に係るシャッター２２と比較すると、フロントハウジング２に対するシャッター５の抜止め機構は、３箇所（抜止め孔５ｄと係止突起５ｅ，５ｅ）であり、従来例のシャッター２２の抜止め機構は、１箇所（抜止め孔２２ｃ）である。
【００２０】
また、図３−Ａ（Ｃ），（Ｄ）、図７（Ｂ）に示すように、前記シャッターの抜止め機構に対応して、従来例に係るフロントハウジング１９には、係止突起１９ｃが底部中央に１箇所設けられており、本発明に係るシャッター付き光コネクタプラグ１におけるフロントハウジング２には、１箇所の係止突起部２ｄと、２箇所の係止部２ｅが設けられている。
【００２１】
このようにして、本発明に係るシャッター付き光コネクタプラグ１は、シャッター５の嵌合時の変形を、スリット５ｃによって防止するとともに、変形による抜け止め対策として、係止突起部５ｅの２箇所追加が施されているので、シャッターの嵌合時の変形が抑制され、抜け出しが確実に防止される様になったものである。
【実施例２】
【００２２】
本発明に係るシャッター付き光コネクタプラグ１における第２実施例は、図３−Ｃに示すように、シャッター５におけるスリット５ｃを３箇所に設けた実施例である。このスリット５ｃの数またはその大きさに関しては特に限定しないが、適宜に設けることで、シャッターの変形を防ぐ最適な数と大きさにすることができるものである。
【産業上の利用可能性】
【００２３】
本発明に係るシャッター付き光コネクタプラグ１は、ＬＣ形アダプタ等の光コネクタアダプタに嵌合されるプラグとして適用され、湾曲する１枚板のシャッターを有する光通信用のプラグ等に広く適用できるものである。
【符号の説明】
【００２４】
１          シャッター付き光コネクタプラグ、
２          フロントハウジング、              ２ａ      ガイド部、
２ｂ        突起部、                          ２ｃ      収納空間部、
２ｄ        係止突起部、                      ２ｅ      係止部、
３          係止用ハウジング、                
４          プラグフレーム、                  ４ａ      先端開口部、
５          シャッター、                      ５ａ      平坦部、
５ｂ        湾曲部、                          ５ｃ      スリット、
５ｄ        抜止め孔、                        ５ｅ      係止突起部、
６          フロントハウジング用スプリング、
１５        従来例に係るシャッター付きＬＣ形プラグ、
１６        フェルール、
１７        フェルール用スプリング、
１８        プラグフレーム、                  １８ａ    係止孔、
１８ｂ      係合部、
１９        フロントハウジング、              １９ａ    収納空間部、
１９ｂ      ガイド部、                        １９ｃ    中央突起部、
１９ｄ      係合部、
２０        係止用ハウジング、  
２１        フロントハウジング用スプリング、
２２        遮光プレート（シャッター）、      ２２ａ    平坦部、
２２ｂ      湾曲部、                          ２２ｃ    角穴、
２３        ブーツ、
２３ａ      カシメリング、
２４        ＬＣ形アダプタ。
【図１】
0005988047.tif 000002
【図２】
0005988047.tif 000003
【図３−Ａ】
0005988047.tif 000004
【図３−Ｂ】
0005988047.tif 000005
【図３−Ｃ】
0005988047.tif 000006
【図４】
0005988047.tif 000007
【図５】
0005988047.tif 000008
【図６−Ａ】
0005988047.tif 000009
【図６−Ｂ】
0005988047.tif 000010
【図７】
0005988047.tif 000011